(57)【特許請求の範囲】
【請求項１】
エレベータの昇降路のピット底部に上方に突出するように取り付けられたシリンダと、  このシリンダの上端部から上方に突出すると共にシリンダに対して軸線方向に沿って上下動するプランジャと、
前記シリンダの頂部に設けられたスイッチ取付体と、
このスイッチ取付体に取付けられたプランジャ復帰確認スイッチと、
前記プランジャの頂部に水平方向にプランジャから突出して取付けられたカム取り付腕と、
このカム取り付腕の端部に垂直下方向に延びて取付けられ前記プランジャ復帰確認スイッチの切り換えを行う棒状のスイッチカムと、
前記シリンダまたは前記プランジャの内部に設けられたヘリカルスプリングとを備え、  昇降体が最下階を行き過ぎて下降して、前記プランジャに衝突してプランジャを押し下げた後、昇降体が上昇して前記プランジャに対する荷重が除かれて、前記ヘリカルスプリングの復元力でプランジャが定常位置に復帰したときに、前記スイッチカムも元の位置に復帰し、前記プランジャ復帰確認スイッチを切り換えるエレベータ用衝撃緩衝装置であって、
前記スイッチ取付体は、シリンダの周囲を囲って設けられ前記シリンダに対して上下方向の移動が規制されているとともに軸線を中心に周方向に変位可能な環状ガイドと、この環状ガイドに前記スイッチカムを囲って設けられたカムガイドとを有し、
前記スイッチカムの周方向の変位とともに、スイッチカムと対向して前記プランジャ復帰確認スイッチも前記環状ガイドとともに周方向に変位するエレベータ用衝撃緩衝装置。
【請求項２】
前記環状ガイドには、前記シリンダの周壁面上を転動するコロが回転自在に設けられていることを特徴とする請求項１に記載のエレベータ用衝撃緩衝装置。
【請求項３】
前記コロは、周方向に等分間隔で複数個配設されていることを特徴とする請求項２に記載のエレベータ用衝撃緩衝装置。
【請求項４】
前記スイッチカムは、少なくとも片面には上下方向に延びた補強材が設けられていることを特徴とする請求項１〜３の何れか１項に記載のエレベータ用衝撃緩衝装置。
【請求項５】
前記シリンダの内部には、油面が前記プランジャの内部に達する作動油が充填されているとともに、前記プランジャの下方向の移動に伴い圧縮される前記ヘリカルスプリングが収納されていることを特徴とする請求項１〜４の何れか１項に記載のエレベータ用衝撃緩衝装置。
【発明の詳細な説明】
【技術分野】
【０００１】
この発明は、エレベータの昇降路底部に設置され、乗りかごあるいは釣合いおもりが最下階を行き過ぎて下降したとき、衝撃を緩和し安全に停止させるために用いられるエレベータ用衝撃緩衝装置に関するものである。
【背景技術】
【０００２】
従来、エレベータの昇降路のピット底部に上方に突出するように取り付けられたシリンダと、このシリンダの上端部から上方に突出すると共にシリンダに対して軸線方向に伸縮するプランジャと、シリンダの頂部に一側方に突出して取り付けられたスイッチ取り付腕と、このスイッチ取り付腕の先端部に取付けられたプランジャ復帰確認スイッチと、プランジャの頂部にスイッチ取り付腕と同じ方向に突出して取付けられたカム取り付腕と、このカム取り付腕の先端部に垂直下方向に延びて取付けられた棒状のスイッチカムとを備えたエレベータ用衝撃緩衝装置が知られている（例えば、特許文献１参照）。
【０００３】
このエレベータ用衝撃緩衝装置は、乗りかごあるいは釣合いおもりが何らかの理由で降下してプランジャを押し下げると、スイッチカムがプランジャ復帰確認スイッチをＯＦＦにして電源が遮断され、乗りかごあるいは釣合いおもりはシリンダ内の作動油の抵抗力により緩衝されながら安全に停止する。
その後、乗りかごあるいは釣合いおもりが上昇して定常位置に復帰する際にプランジャの負荷が除去されるので、プランジャ内のヘリカルスプリングの作用で上方に摺動して元の位置に復帰する。
これと同時にスイッチカムも元の位置に復帰し、プランジャ復帰確認スイッチをＯＮにする。
【０００４】
そして、もしプランジャが元の位置に完全に戻らない場合には、スイッチカムがプランジャ復帰確認スイッチをＯＮにせず、電源が遮断されたままの状態であるので、かごが運転されることはない。
したがって、乗りかごあるいは釣合いおもりが何らかの理由で降下して衝撃緩衝装置に衝突したときに乗りかごあるいは釣合いおもりを安全に停止させるためのプランジャのストロークを常に維持することができる。
【先行技術文献】
【特許文献】
【０００５】
【特許文献１】特開２００４-１０３２７号公報（図１０）
【発明の概要】
【発明が解決しようとする課題】
【０００６】
しかしながら、このものの場合、ヘリカルスプリングは、プランジャの押し下げ時及び復帰時に捻り応力が発生するため、プランジャが軸心を中心に周方向に変位しながら、下方向に移動し、また上方向に移動し、プランジャ復帰確認スイッチとスイッチカムとの周方向における相対位置がずれてしまい、プランジャ復帰確認スイッチが正常に作動しないといった問題点があった。
【０００７】
この発明は、上記のような問題点を解決することを課題とするものであって、スイッチカムのプランジャ復帰確認スイッチに対する周方向の位置のずれが防止され、プランジャ復帰確認スイッチの正常な作動が確保される等のエレベータ用衝撃緩衝装置を得ることを目的とするものである。
【課題を解決するための手段】
【０００８】
この発に係るエレベータ用衝撃緩衝装置は、エレベータの昇降路のピット底部に上方に突出するように取り付けられたシリンダと、このシリンダの上端部から上方に突出すると共にシリンダに対して軸線方向に沿って上下動するプランジャと、前記シリンダの頂部に設けられたスイッチ取付体と、このスイッチ取付体に取付けられたプランジャ復帰確認スイッチと、前記プランジャの頂部に水平方向にプランジャから突出して取付けられたカム取り付腕と、このカム取り付腕の端部に垂直下方向に延びて取付けられ前記プランジャ復帰確認スイッチの切り換えを行う棒状のスイッチカムと、前記シリンダまたは前記プランジャの内部に設けられたヘリカルスプリングとを備え、
昇降体が最下階を行き過ぎて下降して、前記プランジャに衝突してプランジャを押し下げた後、昇降体が上昇して前記プランジャに対する荷重が除かれて、前記ヘリカルスプリングの復元力でプランジャが定常位置に復帰したときに、前記スイッチカムも元の位置に復帰し、前記プランジャ復帰確認スイッチを切り換えるエレベータ用衝撃緩衝装置であって、
前記スイッチ取付体は、シリンダの周囲を囲って設けられ前記シリンダに対して上下方向の移動が規制されているとともに軸線を中心に周方向に変位可能な環状ガイドと、この環状ガイドに前記スイッチカムを囲って設けられたカムガイドとを有し、
前記スイッチカムの周方向の変位とともに、スイッチカムと対向して前記プランジャ復帰確認スイッチも前記環状ガイドとともに周方向に変位する。
【発明の効果】
【０００９】
この発明に係るエレベータ用衝撃緩衝装置は、スイッチカムの周方向の変位とともに、スイッチカムと対向してプランジャ復帰確認スイッチも環状ガイドとともに周方向に変位するので、スイッチカムの確認スイッチに対する周方向の位置のずれが防止され、プランジャ復帰確認スイッチの正常な作動が確保される。
【図面の簡単な説明】
【００１０】
【図１】この発明の実施の形態１のエレベータ用衝撃緩衝装置を示す正面図である。
【図２】図１の要部平断面図である。
【図３】図１のエレベータ用衝撃緩衝装置の要部斜視図である。
【図４】図３の矢印Ａの部位の拡大図である。
【図５】図３の矢印Ｂの部位の部分断面図である。
【図６】この発明の実施の形態２のエレベータ用衝撃緩衝装置を示す部分正面図である。
【発明を実施するための形態】
【００１１】
実施の形態１．
図１はこの発明の実施の形態１のエレベータ用衝撃緩衝装置を示す正面図、図２は図１の要部平断面図、図３は図１のエレベータ用衝撃緩衝装置の要部斜視図、図４は図３の矢印Ａの部位を示す拡大図、図５の図３の矢印Ｂの部位の部分断面図である。
このエレベータ用衝撃緩衝装置は、エレベータの昇降路のピット底部に上方に突出するように取り付けられたシリンダ１と、このシリンダ１の上端部から上方に突出すると共にシリンダ１に対して軸線方向に沿って上下動可能なプランジャ２と、シリンダ１の頂部に設けられたスイッチ取付体３と、このスイッチ取付体３に取付けられたプランジャ復帰確認スイッチ（以下、確認スイッチと略称する。）４と、プランジャ２の頂部に水平方向にプランジャ２の周面から突出して取付けられたカム取り付腕５と、このカム取り付腕５の先端部に垂直下方向に延びて取付けられた棒状のスイッチカム６とを備えている。
なお、確認スイッチ４には、制御用電線が接続されているが、制御用電線は図示していない。
【００１２】
図１〜図３では、シリンダ１の内部は示されていないが、底部から垂直方向に延びて円錐状部材が設けられている。この円錐状部材は、先端部がプランジャ２の底部に形成された噴油孔を通じてプランジャ２の内部に臨んでいる。円錐状部材には、プランジャ２を上方向に付勢したヘリカルスプリングが遊挿されている。また、シリンダ１の内部には、噴油孔を通じてプランジャ２の内部に油面が達する作動油が充填されている。
【００１３】
上記スイッチ取付体３は、シリンダ１のフランジ７の下側であってシリンダ１の周壁面にネジ８で固定された断面Ｌ字形状の規制板９の短片部９ａと、全周にわたって径方向に突出したフランジ７との間に設けられており、上下方向の移動についてはこのフランジ７と規制板９の短片部９ａとにより規制される。
環状ガイド１０は、径外側方向が開口した断面コの字形状であって、周方向に１２０°の等分間隔で軸１１が設けられている。この各軸１１には、シリンダ１の周面に転動可能なコロ１２が設けられている。このコロ１２は、例えば、軽量で、発錆せず、かつ滑り易いナイロンが適している。
環状ガイド１０は、スイッチカム６と対向した部位が切り欠かれている。この切り欠け部位は、ネジ１５で背面に固定されたスイッチ取付板１４であてがわれている。
このスイッチ取付板１４には、確認スイッチ４が固定されている。環状ガイド１０の表面には、確認スイッチ４及びスイッチカム６を囲ったカムガイド１３がネジ１６で固定されている。カムガイド１３は、スイッチガイド６の周方向の両側、及び確認スイッチ４の反対側との間でそれぞれ隙間が形成されている。
【００１４】
このエレベータ用衝撃緩衝装置は、例えば、昇降体である乗りかごが何らかの理由で降下して、乗りかごの底面が受板１８に衝突し、プランジャ２には押し下げ力が作用する。
この結果、シリンダ１内の作動油が噴油孔と通じてプランジャ２の内部に噴出流入し、プランジャ２は下降し始める。
このとき、噴油孔の内壁面と円錐状部材の外周壁面との間の絞られた絞り空隙を作動油が通過する、噴油孔の所謂オリフィス効果でプランジャ２には、強い制動力が作用する。
そして、円錐状部材は、テーパ形状であるので、プランジャ２の下降に従い、絞り空隙の流路断面積は減少するので、プランジャ２に対する制動力は増加し、この結果乗りかごの下降速度は漸次低下し、乗りかごは、安全に停止する。
【００１５】
このプランジャ２の下降に従って、スイッチカム６も下降するが、スイッチカム６の下降開始時には、スイッチカム６の先端部に形成された折曲部６ａが確認スイッチ４のスイッチコロ１７に衝突し、このときの衝突力により、スイッチカム６は、図１において、反時計方向に作用する回動力で回動しようとするが、この回動は、カムガイド１３により阻止される。
また、スイッチコロ１７の時計方向の回動に伴い、確認スイッチはＯＦＦになり、電源が遮断される。
また、プランジャ２の下降に伴い、シリンダ１内のヘリカルスプリングの捻り応力により、プランジャ２には、軸線を中心として周方向の変位力が作用し、プランジャ２と共にスイッチカム６が周方向に変位しても、その変位は、カムガイド１３を通じて環状ガイド１０に伝達され、確認スイッチ４は、スイッチカム６の周方向の変位に追従し、スイッチコロ１７は、スイッチカム６の中心線上を常に移動する。
【００１６】
その後、乗りかごが上昇して定常位置に復帰する際にプランジャ２に対する負荷が除去されるので、シリンダ１内のヘリカルスプリングの弾性力により、プランジャ２は、上方向に移動し、元の位置に復帰する。
このプランジャ２の上昇時も、シリンダ１内のヘリカルスプリングの捻り応力により、
プランジャ２には、軸線を中心とした変位力が作用し、プランジャ２と共にスイッチカム６が周方向に変位しても、その変位は、カムガイド１３を通じて環状ガイド１０に伝達され、確認スイッチ４は、スイッチカム６の周方向の変位に追従し、スイッチコロ１７は、スイッチカム６の中心線上を常に移動する。
従って、プランジャ２が元の位置に復帰すると同時に、スイッチコロ１７は、スイッチカム６の折曲部６ａに当接し、確認スイッチをＯＮにする。
【００１７】
以上説明したように、この実施の形態のエレベータ用衝撃緩衝装置によれば、スイッチカム６の周方向の変位とともに、スイッチカム６と対向して確認スイッチ４も環状ガイド１０とともに周方向に変位するので、スイッチカム６の確認スイッチ４に対する周方向の位置のずれが防止され、確認スイッチ４の正常な作動が確保される。
【００１８】
また、環状ガイド１０には、シリンダ１の周壁面上を転動するコロ１２が回転自在に設けられているので、環状ガイド１０は、軸線を中心に周方向に円滑に変位する。
しかも、コロ１２は、周方向に等分間隔で複数個配設されているので、環状ガイド１０は、軸線を中心に周方向に小さな力でより円滑に変位する。
【００１９】
また、環状ガイド１０には、スイッチカム６を囲ってカムガイド１３が設けられているので、スイッチカム６がスイッチコロ１７から離れることはない。
【００２０】
実施の形態２．
図６はこの発明の実施の形態２のエレベータ用衝撃緩衝装置の要部正面図である。
この実施の形態では、スイッチカム６の片面に上下方向に延びた補強材２０が設けられている。この補強材２０は、カム取付け腕５側が最大で先端側に沿って幅が狭くなっている。
他の構成は、実施の形態１のエレベータ用衝撃緩衝装置と同じである。
【００２１】
この実施の形態では、スイッチカム６の片面に上下方向に延びた補強材２０が設けられているので、スイッチカム６の剛性が向上する。
高速エレベータの場合、シリンダ１、プランジャ２のそれぞれの全長は数メートルになり、それだけスイッチカム６の全長も長くなる。
補強材２０が無いときには、スイッチカム６の全長が長く、その先端部がスイッチコロ１７を押圧する押圧力の一部がスイッチカム６の撓み変形に費やされ、そのままスイッチコロ１７に伝達されにくい。
これに対して、スイッチカム６に補強材２０を設けることで、プランジャ２の下動に伴うスイッチカム６の押圧力は、そのままスイッチコロ１７に伝達され、確認スイッチ４の正常な作動が確保される。
また、補強材２０は、スイッチカム６に対する曲げモーメントが大きい部位程幅広であり、補強材２０の重量は、必要最小限に抑えられている。
なお、スイッチカム６の両面に補強材２０を設けるようにしてもよい。
【００２２】
なお、上記各実施の形態では、シリンダ１の内部には、油面がプランジャ２の内部に達する作動油が充填されているとともに、プランジャ２の下方向の移動に伴い圧縮されるヘリカルスプリングが収納されているが、この発明は、シリンダには作動油が充填点され、プランジャには、ヘリカルスプリングが収納されたエレベータ用衝撃緩衝装置にも適用できる。
また、所謂ばね式のエレベータ用衝撃緩衝装置にも、この発明は適用できる。
また、この発明は、当然、昇降体である釣合いおもりからの衝撃を緩衝するエレベータ用衝撃緩衝装置にも適用できる。
【符号の説明】
【００２３】
１  シリンダ、２  プランジャ、３  スイッチ取付体、４  プランジャ復帰確認スイッチ、５  カム取付け腕、６  スイッチカム、６ａ  折曲部、７  フランジ、８，１５，１６  ネジ、９  規制板、９ａ  短片部、１０  環状ガイド、１１  軸、１２  コロ、１３  カムガイド、１４  スイッチ取付板、１７  スイッチコロ、１８  受板、２０  補強材。
【図１】
0005452327.tif 000002
【図２】
0005452327.tif 000003
【図３】
0005452327.tif 000004
【図４】
0005452327.tif 000005
【図５】
0005452327.tif 000006
【図６】
0005452327.tif 000007